(57)【要約】  【課題】  高い断熱性を得ることができ、しかも室内壁面それ自体に滅菌性能を有してアルコールや塩素系の消毒剤などの、高温・高湿の条件下での使用が極めて困難な薬剤を、一切使用せずとも浴室内を衛生的に維持、管理可能とする新たな建築技術を提供する。  【解決手段】  基礎断熱単板１１のアルミニウムシート滅菌層１３を形成した面を室内に向け、気密状に張設された肉厚基礎下地壁体１を有し、基礎断熱単板１１の室内がわ面には、スペーサー座金板２を介し、複層用断熱単板３１が、アルミニウムシート滅菌層３３を有した一面を室内に向け、気密状に張設された上、複層用断熱単板３１のビス用貫通孔３５から定着用ビス４を捩じ込み、肉厚基礎下地壁体１室内がわに薄断熱空間層Ｓの介在する薄肉複層下地壁体３を形成し、室内面にアルミニウム箔製滅菌シート７を貼着してなる岩盤浴施設用室内下地構造である。【選択図】    図１
2008240244.tif 000002
【特許請求の範囲】
【請求項１】
肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定されてなる肉厚基礎下地壁体を形成し、該肉厚基礎下地壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地壁体の室内がわ面に薄断熱空間層の介在する薄肉複層下地壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地壁体室内がわ表面に格子状となるようにアルミニウム細巾板を接着、固定して補強枠となし、それら補強枠を支持部としてアルミニウム箔製の滅菌シートを弛みなく貼着して薄肉複層下地壁体室内がわ表面全体が滅菌シートで被覆されてなるものとしたことを特徴とする岩盤浴施設用室内下地構造。
【請求項２】
肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定され、室内隅・角で所定角度に交叉する木口同士は、何れか一方の木口が、他方木口、直近の室内側面に気密状となるよう隙間なく当接一体化されてなる肉厚基礎下地壁体を形成し、該肉厚基礎下地壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設され、隣接して突き合わせ状となる木口同士は、アルミニウム製目地部材を介して隙間無く貼着し、また、浴室内隅・角で所定角度に交叉する木口同士は、互いの木口同士が交叉状配置となる室内側面角部に一致するよう寸法設定され、アルミニウム製入り隅目地部材か、または、同出隅目地部材かの何れかを介して密閉状に一体化した上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地壁体の室内がわ面に薄断熱空間層の介在する薄肉複層下地壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地壁体室内がわ表面に格子状となるようにアルミニウム細巾板を接着、固定して補強枠となし、それら補強枠を支持部としてアルミニウム箔製の滅菌シートを弛みなく貼着して薄肉複層下地壁体室内がわ表面全体が滅菌シートで被覆されてなるものとしたことを特徴とする岩盤浴施設用室内下地構造。
【請求項３】
複層用断熱単板は、浴室内隅・角で所定平面角度に交叉する木口と、アルミニウム製入り隅目地部材か、または、同出隅目地部材かの何れかとの間に形成される隙間空間中に、発泡プラスチックなど断熱性充填剤が充填されてなるものとした、請求項２記載の岩盤浴施設用室内下地構造。
【請求項４】
入り隅目地部材か、または、同出隅目地部材かの何れかは、基礎断熱単板の木口同士が組み合わせられた入り隅または出隅の何れかに強固に貼着した平断面Ｌ字型のアルミニウム製ブラケットに対し、アルミニウム製リベットによって一体化され、当該目地部材の平面状張着部とブラケットとの合計厚みが、厚さ１ないし３ｍｍの薄断熱空間層内に収まる寸法に設定されてなるものとした、請求項２または３何れか一項記載の岩盤浴施設用室内下地構造。
【請求項５】
肉厚基礎下地壁体は、浴室壁外角で二枚の基礎断熱単板の何れか一方の木口と、他方基礎断熱単板の木口、直近の室内側面とが密接状に張設され、それら二枚の基礎断熱単板の張設木口がわとなる外側壁間に跨り、アルミニウム製平断面形Ｌ字型の密閉用枠板を縦設、密閉状に接着してなるものとした、請求項１ないし４何れか一項記載の岩盤浴施設用室内下地構造。
【請求項６】
肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定されてなる肉厚基礎下地天井壁体を形成し、該肉厚基礎下地天井壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地天井壁体の室内がわ面に薄断熱空間層の介在する薄肉複層下地天井壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地天井壁体室内がわ表面に格子状となるようにアルミニウム細巾板を接着、固定して補強枠となし、それら補強枠を支持部としてアルミニウム箔製の滅菌シートを弛みなく貼着して薄肉複層下地天井壁体室内がわ表面全体が滅菌シートで被覆されてなるものとしたことを特徴とする岩盤浴施設用室内下地構造。
【請求項７】
肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して隣接し、突き合わせ状となる木口同士が互いに連結一体化され、また、浴室内天井隅・角で所定角度に交叉する木口同士は、何れか一方の木口が、他方木口、直近の室内側面に張着し、密閉状に連続するよう配置させ、相互に気密状となるよう隙間なく張設、固定されてなる肉厚基礎下地天井壁体を形成し、該肉厚基礎下地天井壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、隣接して突き合わせ状となる木口同士は、アルミニウム製目地部材を介して連結、一体化し、また、浴室内天井隅・角で所定角度に交叉する木口同士は、何れか一方の木口が、他方木口、直近の室内側面に張着し、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地天井壁体の室内がわ面に薄断熱空間層の介在する薄肉複層下地天井壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地天井壁体室内がわ表面に格子状となるようにアルミニウム細巾板を接着、固定して補強枠となし、それら補強枠を支持部としてアルミニウム箔製の滅菌シートを弛みなく貼着して薄肉複層下地天井壁体室内がわ表面全体が滅菌シートで被覆されてなるものとしたことを特徴とする岩盤浴施設用室内下地構造。
【請求項８】
目地部材のベースは、基礎断熱単板木口同士の組み合わせ箇所に跨り、強固に貼着された平板型のアルミニウム製ブラケットか、または、基礎断熱単板木口同士間に、密閉状に組み合わせられたＨ型平断面形一体型のアルミニウム製ジョイナー（商品名）の対応平面部分かの何れか一方に対し、アルミニウム製リベットによって一体化され、該Ｈ型ベースの平面状張着部と、ブラケットまたはＨ型平断面形一体型ジョイナー（商品名）の対応平面部分との合計厚みが、厚さ１ないし３ｍｍの薄断熱空間層内に収まる寸法に設定されてなるものとした、請求項２ないし７何れか一項記載の岩盤浴施設用室内下地構造。
【請求項９】
基礎断熱単板および複層用断熱単板は、それら全ての木口にアルミニウム箔製の滅菌用粘着テープが追加、被着されてなるものとした、請求項１ないし８何れか一項記載の岩盤浴施設用室内下地構造。                                                                                                  
【発明の詳細な説明】
【技術分野】
【０００１】
この発明は、浴場施設に関連するあらゆる分野をその技術分野とするものであり、浴場用の建築物を施設する分野は勿論のこと、その建造に必要となる建築資材、設備、器具類を提供、販売する分野から、それら資材や機械装置、部品類に必要となる素材、例えば、木材、石材、各種繊維類、プラスチック、化学薬剤、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                          
【背景技術】
【０００２】
（着目点）
我が国では、近年、美容や健康志向の高まりによって体内に蓄積された疲労物質や有害物質などを解毒する、所謂デトックスと称される健康法が広く親しまれるようになり、誰もが気軽に利用でき、身体に負担を掛けずに、芯から体を温めて大量の発汗を促し、効果的に体内毒素を排出できる岩盤浴施設の利用が人気を博するようになって、相次いで多くの岩盤浴場が建造されている。
【０００３】
このように普及が進む岩盤浴場は、サウナに比較して浴室内の湿度が高く、レジオネラ菌や大腸菌といった細菌や黴類の発生が懸念されており、こうした利用者の不安を解消するには、一般的浴場で広く行われているようなアルコールや塩素系の消毒剤を用いた洗浄を行うのが最も良い方法とされているが、５０℃近くまで加温され、一定に温度管理された床面に、こうした消毒剤を使用すると有害ガスが発生してしまうという問題があり、実際には浴場の利用を完全に停止し、床面の温度を常温に戻すまで冷却した後に、消毒作業を行わなければならず、床面の冷却、消毒・洗浄から利用可能な状態まで再加熱するには、数週間を要してしまい、簡単には消毒作業を行えないという事情があった。
【０００４】
岩盤浴場のこうした衛生管理の現状を打開するため、本願出願人は、岩盤浴場の浴室自体に滅菌構造を施すことを案出し、これを実現化する浴室構造の開発に着手し、アルミニウムに黴やバクテリアなどの成長を阻止する性質があることに着目し、これを浴室内壁面に貼設することを創案したが、アルミニウムは熱伝導率が高く、保温性を重視する岩盤浴場の壁面に貼着しただけでは放熱による熱的損失が大き過ぎて経済的に不利であるという欠点を有し、なかなか実用化に踏み切れないという状況に陥ってしまっていた。
【０００５】
（従来の技術）
そのような状況に対処するようなものとして、例えば特開平６−１２９０２７号公報「建築物における外断熱工法」発明として提案されているもののように、鉄筋コンクリート造、ＰＣコンクリート造、ＡＬＣ造、押出セメント成形板等、外壁の外断熱工法において、外壁の外側に密着してグラスウールおよび／または樹脂発泡体からなる断熱層を設けた後、外側に通気層を設けた上で外装材を設けるよう構成され、該外装材の透湿抵抗が小さく断熱層で結露の虞れがある場合は、同外装材の内側、もしくは同外装材と断熱層との間に、例えばアスファルト防水紙、黒色建築紙、ポリエチレンフィルム、アルミ箔等の防湿フィルムを張設してなり、外断熱が確実に効果を発揮し、長期的に外装材、断熱材、ＲＣ等躯体の結露による劣化がなく、省エネルギーが長期安定的に計られ、建築物を長持ちさせることができるようにしてなるものが提案されている。
【０００６】
また、その他のものとして特開平７−１５０６４７号公報に開示された「多層空気層断熱材」発明のように、アルミ箔材と格子材との交互の重ね組み合わせ、多層空気空間を断熱材内部に形成することによって構成される断熱材およびそのパネル体とすることにより、多くの空気空間が断熱材内に多層空気空間を形成し、これによって室内の熱が外へ放出されず、またアルミ箔の断熱作用によって外側から冷気が入るのを防ぎ、断熱効果を高めるようにしたもの等が散見される。
【０００７】
しかし、前者の「建築物における外断熱工法」発明は基本的に鉄筋コンクリート造、ＰＣコンクリート造、ＡＬＣ造、押出セメント成形板等の外壁に関するものであり、本願出願人が模索する軽量鉄骨造または木造のプレファブ建築における外壁には応用できないという欠点を有し、また、後者の「多層空気層断熱材」発明は、壁体内に装着されるグラスウールやウレタン材、ロックウール等の通気による断熱性の低下や結露の発生という問題を解決し、軽量なパネル材として取り扱えるようにすることを目的としたものであり、アルミ箔材と重ね合わせ状に組み合わせられる格子材は、発泡スチロール材やストロー材などの合成樹脂材、あるいは熱伝導率の低い木材からなるものを使用することが可能であるものの、あくまでグラスウールなどの不定形のものであった断熱材を、取り扱い易い軽量なパネル状のものに改良したものであり、室内の壁面パネルに取って代わるものではなく、この断熱材とは別に、建築物の内外壁パネルを必要としていて岩盤浴場の浴室内壁面に滅菌作用をもたらすものとはなり得ないものであった。                                                    
【特許文献１】（１）特開平６−１２９０２７号公報    （２）特開平７−１５０６４７号公報
【発明の開示】
【発明が解決しようとする課題】
【０００８】
（問題意識）
上述したとおり、従前までに提案のある前者の「建築物における外断熱工法」は、鉄筋コンクリート造、ＰＣコンクリート造、ＡＬＣ造、押出セメント成形板等の外壁を効果的に断熱し、結露の発生を防止することができるものの、軽量鉄骨造または木造のプレファブ建築による岩盤浴場の建築構造には応用不能であり、また、後者の「多層空気層断熱材」は、従前までのグラスウールやウレタン材またはロックウールなどに代わり、取扱いや輸送および施工性に秀れた断熱材を提供可能としてはいるが、何れも岩盤浴場の室内壁面に滅菌機能を与え、且つ高い断熱性を確保できるものとはなっておらず、衛生管理を容易にする岩盤浴施設の早期開発および実用化が求められていた。
【０００９】
（発明の目的）
そこで、この発明は、高い断熱性を得ることができ、しかも室内壁面それ自体に滅菌性能を有してアルコールや塩素系の消毒剤などの高温・高湿の条件下での使用が極めて困難な薬剤を一切使用せずとも浴室内を衛生的に維持、管理可能とする新たな建築技術の開発はできないものかとの判断から、逸速くその開発、研究に着手し、長期に渡る試行錯誤と幾多の試作、実験とを繰り返してきた結果、今回、遂に新規な構造の岩盤浴施設用室内下地構造を実現化することに成功したものであり、以下では、図面に示すこの発明を代表する実施例と共に、その構成を詳述することとする。                                                                                                
【課題を解決するための手段】
【００１０】
（発明の構成）
図面に示すこの発明を代表する実施例からも明確に理解されるように、この発明の岩盤浴施設用室内下地構造は、基本的に次のような構成から成り立っている。
即ち、肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定されてなる肉厚基礎下地壁体を形成し、該肉厚基礎下地壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地壁体の室内がわ面に薄断熱空間層の介在する薄肉複層下地壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地壁体室内がわ表面に格子状となるようにアルミニウム細巾板を接着、固定して補強枠となし、それら補強枠を支持部としてアルミニウム箔製の滅菌シートを弛みなく貼着して薄肉複層下地壁体室内がわ表面全体が滅菌シートで被覆されてなるものとした構成を要旨とする岩盤浴施設用室内下地構造である。
【００１１】
この基本的な構成からなる岩盤浴施設用室内下地構造を、より具体的なものとして示すと、肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定され、室内隅・角で所定角度に交叉する木口同士は、何れか一方の木口が、他方木口、直近の室内側面に気密状となるよう隙間なく当接一体化されてなる肉厚基礎下地壁体を形成し、該肉厚基礎下地壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設され、隣接して突き合わせ状となる木口同士は、アルミニウム製目地部材を介して隙間無く貼着し、また、浴室内隅・角で所定角度に交叉する木口同士は、互いの木口同士が交叉状配置となる室内側面角部に一致するよう寸法設定され、アルミニウム製入り隅目地部材か、または、同出隅目地部材かの何れかを介して密閉状に一体化した上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地壁体の室内がわ面に薄断熱空間層の介在する薄肉複層下地壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地壁体室内がわ表面に格子状となるようにアルミニウム細巾板を接着、固定して補強枠となし、それら補強枠を支持部としてアルミニウム箔製の滅菌シートを弛みなく貼着して薄肉複層下地壁体室内がわ表面全体が滅菌シートで被覆されてなるものとした構成からなる岩盤浴施設用室内下地構造となる。
【００１２】
これを換言すると、肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して相互に気密状となるよう隙間なく張設、固定されてなる肉厚基礎下地天井壁体を形成し、該肉厚基礎下地天井壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地天井壁体の室内がわ面に薄断熱空間層の介在する薄肉複層下地天井壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地天井壁体室内がわ表面に格子状となるようにアルミニウム細巾板を接着、固定して補強枠となし、それら補強枠を支持部としてアルミニウム箔製の滅菌シートを弛みなく貼着して薄肉複層下地天井壁体室内がわ表面全体が滅菌シートで被覆されてなるものとした岩盤浴施設用室内下地構造ということができる。
【００１３】
具体的には、肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、浴室構造躯体に直接か、それらに下地構造材を介して隣接し、突き合わせ状となる木口同士が互いに連結一体化され、また、浴室内天井隅・角で所定角度に交叉する木口同士は、何れか一方の木口が、他方木口、直近の室内側面に張着し、密閉状に連続するよう配置させ、相互に気密状となるよう隙間なく張設、固定されてなる肉厚基礎下地天井壁体を形成し、該肉厚基礎下地天井壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉板状の発泡プラスチック体一面がわにアルミニウムシート滅菌層を形成した複層用断熱単板の多数が、何れもそのアルミニウムシート滅菌層がわを室内がわに向ける配置で、隣接して突き合わせ状となる木口同士は、アルミニウム製目地部材を介して連結一体化し、また、浴室内天井隅・角で所定角度に交叉する木口同士は、何れか一方の木口が、他方木口、直近の室内側面に張着し、且つ相互に気密状となるよう隙間なく張設された上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、肉厚基礎下地天井壁体の室内がわ面に薄断熱空間層の介在する薄肉複層下地天井壁体を形成する一方、定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地天井壁体室内がわ表面に格子状となるようにアルミニウム細巾板を接着、固定して補強枠となし、それら補強枠を支持部としてアルミニウム箔製の滅菌シートを弛みなく貼着して薄肉複層下地天井壁体室内がわ表面全体が滅菌シートで被覆されてなるものとした岩盤浴施設用室内下地構造であるということが可能である。                                                                                
【発明の効果】
【００１４】
以上のとおり、この発明の岩盤浴施設用室内下地構造によれば、浴室壁中の肉厚方向外壁寄りに、肉厚板状の発泡プラスチック体からなる基礎断熱単板の複数枚による肉厚基礎下地壁体を形成すると共に、浴室壁中の肉厚方向、浴室内壁寄りに、薄肉板状の発泡プラスチック体からなる複層用断熱単板の多数による薄肉複層下地壁体を形成した上、それら肉厚基礎下地壁体と薄肉複層下地壁体との間に、薄断熱空間層を形成し、高い断熱、保温性をもった浴室壁面を形成することができ、しかも肉厚基礎下地壁体を形成する各基礎断熱単板は、室外がわに面する一面がわにプラスチックフィルム防湿層を、また、薄断熱空間層に面する他面がわにアルミニウムシート滅菌層を夫々形成したものであって、高い防湿、滅菌性を発揮することができ、さらに、薄肉複層下地壁体を形成する各複層用断熱単板は、浴室内がわに面する一面がわにアルミニウムシート滅菌層を形成したことにより、浴室内壁面に滅菌性能を付与することができ、岩盤浴施設に必要とされる保温、防湿性に加え、高い滅菌機能を有し、アルコールや塩素系の消毒剤などの高温・高湿の条件下における安全な取扱いが、非常に困難な薬剤類を一切、必要とせずに浴室内を衛生的に維持、管理することができるという秀れた特徴が得られるものである。
【００１５】
加えて、肉厚基礎下地壁体とした各基礎断熱単板のアルミニウムシート滅菌層表面には、１ないし３ｍｍ厚のアルミニウム製のスペーサー座金板を点在状に貼着、介在させた上、それら点在状としたスペーサー座金板の室内がわ面に、薄肉複層下地壁体を形成する複数の複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、当該肉厚基礎下地壁体と薄肉複層下地壁体との間にスペーサー座金板の厚み寸法によって規制された薄断熱空間層を形成し、肉厚基礎下地壁体に対して薄肉複層下地壁体を強固に装着、固定することができ、しかも壁面肉厚中の略全面に亘って広がる薄断熱空間層の薄さを、１ないし３ｍｍに正確に規制し、従来型の壁面断熱構造に比較してより高い断熱効果と、壁面肉厚寸法の削減により、広い浴室内空間の確保とを実現化するという効果を得ることができる。
【００１６】
また、薄肉複層下地壁体の定着用ビス頭を埋没状にして形成されるビス用貫通孔入り口凹部に発泡プラスチックなど断熱性充填剤が充填、封鎖状にされて当該定着用ビスを室内がわから断熱状となる面一面とした上、それら薄肉複層下地壁体室内がわ表面に格子状となるようにアルミニウム細巾板を接着、固定して補強枠となし、それら補強枠を支持部としてアルミニウム箔製の滅菌シートを弛みなく貼着して薄肉複層下地壁体室内がわ表面全体が滅菌シートで被覆されてなるものとして浴室内壁面の表面外観を統一すると共に、浴室内壁面およびその周辺の黴や大腸菌、黄色ブドウ球菌、白癬菌、レジオネラ菌などの様々な細菌類の死滅、消毒および消臭効果を得ることができる。
【００１７】
そして、肉厚基礎下地壁体の各基礎断熱単板、プラスチックフィルム防湿層が形成された一面がわを、浴室構造躯体に直接か、それらに下地構造材を介して固着し、且つ、浴室内隅・角で所定角度に交叉する木口同士は、何れか一方の木口が、他方木口、直近の室内側面に気密状となるよう隙間なく当接一体化されてなるものとすることにより、肉厚基礎下地壁体による密閉度を一層、高めることが可能となり、さらに、薄肉複層下地壁体を形成する各複層用断熱単板の、互いに隣接し、突き合わせ状となる木口同士は、アルミニウム製目地部材、例えばジョイナー（商品名）Ｈ型のベースとカバーとを介して隙間無く貼着し、また、浴室内隅・角で所定角度に交叉する木口同士は、互いの木口同士が交叉状配置となる室内側面角部に一致するよう寸法設定され、アルミニウム製目地部材、例えばジョイナー（商品名）入り隅ベースおよびカバーか、または、同出隅ベースおよびカバーかの何れかを介して密閉状に一体化したものとして薄肉複層下地壁体の密閉機能を格段に高め、浴室内外側壁面夫々の通気を確実に遮蔽し、薄断熱空間層を徹底して密封することができ、しかもアルミニウム素材製の部品による滅菌効果を大幅に増強することができるという効果を奏する。
【００１８】
複層用断熱単板の浴室内隅・角で所定平面角度に交叉する木口と、アルミニウム製目地部材、例えばジョイナー（商品名）入り隅ベースおよびカバーか、または、同出隅ベースおよびカバーかの何れかとの間に形成される隙間空間中に、発泡プラスチックなど断熱性充填剤が充填されてなるものとし、浴室内壁面の入り隅または出隅部分の密閉性を一段と高めて断熱、保温性を強化すると共に、湿気の滲入をより確実に阻止して黴や細菌類の発生、増殖を的確に抑制できることになる。
【００１９】
目地部材とするジョイナー（商品名）入り隅ベースか、または、同出隅ベースかの何れかは、基礎断熱単板の木口同士が組み合わせられた入り隅または出隅の何れかに、強固に貼着された平断面Ｌ字型のアルミニウム製ブラケットに対しアルミニウム製リベットによって一体化され、該ベースの平面状張着部とブラケットとの合計厚みが、厚さ１ないし３ｍｍの薄断熱空間層内に収まる寸法に設定されていて、ジョイナー（商品名）を、基礎断熱単板の入り隅または出隅部分に対し、より強固に装着することが可能となり、該ジョイナー（商品名）の複層用断熱単板を密閉状に保持する強度を大幅に向上させる効果を発揮する。
【００２０】
肉厚基礎下地壁体が、浴室壁外角で二枚の基礎断熱単板の何れか一方の木口と、他方基礎断熱単板の木口、直近の室内側面とが密接状に張設され、それら二枚の基礎断熱単板の張設木口がわとなる外側壁間に跨り、アルミニウム製平断面形Ｌ字型の密閉用枠板を縦設、密閉状に接着されてなるものとし、浴室壁外角の各基礎断熱単板木口間の隙間をさらに確実且つ密閉状に接着し、外部他物による干渉に起因する発泡プラスチック体外角の変形、破損を防止することが可能であり、しかもアルミニウム製平断面形Ｌ字型の密閉用枠板が基礎断熱単板木口間および薄断熱空間層中に黴や細菌類が侵入するのを確実に阻止して浴室内の衛生、確保を一段と容易にするという効果が得られる。
【００２１】
肉厚板状の発泡プラスチック体の一面がわにプラスチックフィルム防湿層、他面がわにアルミニウムシート滅菌層を夫々形成してなる基礎断熱単板の多数が、何れもそのアルミニウムシート滅菌層がわを室内がわに向ける配置で、相互に気密状となるよう隙間なく張設、固定されてなる肉厚基礎下地天井壁体を形成し、該肉厚基礎下地天井壁体とした各基礎断熱単板のアルミニウムシート滅菌層表面に、薄肉板状の発泡プラスチック体一面がわにアルミニウムシート滅菌層を形成した複層用断熱単板の多数が、何れもそのアルミニウムシート滅菌層がわを室内がわに向ける配置で、且つ相互に気密状となるよう隙間なく張設され、当該肉厚基礎下地天井壁体の室内がわ面に薄断熱空間層の介在する薄肉複層下地天井壁体を形成したものとし、浴室天井壁に、前述の浴室壁面と同等の断熱、保温性を与えると共に、アルミニウムによる黴や細菌類の滅菌性を有した岩盤浴施設を実現可能とし、従来に比較して格段に衛生的な入浴環境を提供するという大きな効果を奏するものとなる。
【００２２】
加えて、肉厚基礎下地天井壁体を形成する基礎断熱単板の多数を、浴室構造躯体に直接か、それらに下地構造材を介して相互に気密状となるよう隙間なく張設、固定するようにし、また、各基礎断熱単板のアルミニウムシート滅菌層表面に、１ないし３ｍｍ厚のアルミニウム製のスペーサー座金板を点在状に貼着、介在させ、それら点在状としたスペーサー座金板の室内がわ面に、複層用断熱単板の多数が、何れもそのアルミニウムシート滅菌層がわを室内がわに向ける配置で、且つ相互に気密状となるよう隙間なく張設するようにした上、それら全ての複層用断熱単板を、予め各々の支持部となるスペーサー座金板点在箇所に合致するよう穿設しておいたビス用貫通孔から、対応するスペーサー座金板とその背面の基礎断熱単板とに向けて定着用ビスを捩じ込んでその頭を埋没状にして固定してしまい、定着用ビス頭を埋没状にして形成されるビス用貫通孔入り口凹部に発泡プラスチックなど断熱性充填剤が充填、封鎖状にされて当該定着用ビスを室内がわから断熱状となる面一面とし、薄肉複層下地天井壁体室内がわ表面に格子状となるようにアルミニウム細巾板を接着、固定して補強枠となし、それら補強枠を支持部としてアルミニウム箔製の滅菌シートを弛みなく貼着して薄肉複層下地天井壁体室内がわ表面全体が滅菌シートで被覆されてなるものとし、肉厚基礎下地天井壁体および薄肉複層下地天井壁体を、浴室構造躯体に直接か、それらに下地構造材に対して強固に一体化させることができ、秀れた建築強度を確保できると共に、アルミニウム素材の多用によって防黴、滅菌性能を格段に高めて一段と衛生的な入浴環境を整備することができるという特徴を発揮する。
【００２３】
また、肉厚基礎下地天井壁体の各基礎断熱単板同士の隣接し、突き合わせ状となる木口同士が互いに連結一体化され、また、浴室内天井隅・角で所定角度に交叉する木口同士は、何れか一方の木口が、他方木口の直近の室内側面に張着し、密閉状に連続するよう配置し、相互に気密状となるよう隙間なく張設、固定され、且つ、薄肉複層下地天井壁体の各複層用断熱単板の隣接し、突き合わせ状となる木口同士が、アルミニウム製目地部材のジョイナー（商品名）Ｈ型のベースとカバーとを介して連結一体化され、また、浴室内天井隅・角で所定角度に交叉する木口同士は、何れか一方の木口が、他方木口、直近の室内側面に張着し、且つ相互に気密状となるよう隙間なく張設するようにし、肉厚基礎下地天井壁体、薄断熱空間層および薄肉複層下地天井壁体の夫々の密閉性を高め浴室天井壁における断熱、保温性と、防黴、滅菌性能とを高めて、天井面に付着した水滴の落下などに起因する浴室内環境の汚染を、より確実に防止することができる。
【００２４】
さらに、目地部材であるジョイナー（商品名）Ｈ型のベースが、基礎断熱単板木口同士の組み合わせ箇所に跨り、強固に貼着された平板型のアルミニウム製ブラケットか、または、基礎断熱単板木口同士間に、密閉状に組み合わされたＨ型平断面形一体型のアルミニウム製目地部材のジョイナー（商品名）の対応平面部分かの何れか一方に対し、アルミニウム製リベットによって一体化され、該Ｈ型ベースの平面状張着部と、ブラケットまたはＨ型平断面形一体型ジョイナー（商品名）の対応平面部分との合計厚みが、厚さ１ないし３ｍｍの薄断熱空間層内に収まる寸法に設定されてなるものとし、複層用断熱単板の基礎断熱単板への連結強度を格段に高めることができ、浴室内壁面の耐震強度を大幅に向上するという利点が得られる。
【００２５】
そして、各基礎断熱単板および各複層用断熱単板が、それら全ての木口にアルミニウム箔製の滅菌用粘着テープを追加、被着され、黴や細菌類が付着し易く、除去し難いパネル連結、部分の滅菌性能を高めて衛生環境の維持を容易にすると共に、洗浄作業性を高めて効率的に維持管理を実現し得るようにするという効果を奏するものとなる。                                                                                  
【発明を実施するための最良の形態】
【００２６】
上記したとおりの構成からなるこの発明の実施に際し、その最良もしくは望ましい形態について説明を加えることにする。
肉厚基礎下地壁体は、岩盤浴施設用浴室内下地の最も室外がわとなる壁面部分を密閉状に連続形成し、浴室外側への放熱を確実に阻止する断熱機能と、室外からの湿気の滲入を確実に阻止可能とする機能とを果たすものであり、肉厚板状の発泡プラスチック体からなる多数枚の基礎断熱単板を、浴室構造躯体に直接か、それらに下地構造材を介して相互に気密状となるよう隙間なく張設、固定されてなるものとし、少なくとも室内がわに向ける面にアルミニウムシート滅菌層が形成され、室外がわに向ける面にプラスチックフィルム防湿層を形成しなければならず、施工作業性および経済性を高めるには、浴室側壁に留まらず、浴室天井壁にも同一素材を用いたものとするのが望ましい。
【００２７】
基礎断熱単板は、複数枚を組み合わせて肉厚基礎下地壁体を形成すると共に、薄肉複層下地壁体を形成する複層用断熱単板の複数枚との間に薄断熱空間層を密閉形成可能とする機能を果たし、複層用断熱単板よりも厚い、ウレタン、ポリスチレン、ポリエチレン、合成ゴムまたは特殊ゴム、その他の肉厚板状の硬質な発泡プラスチック体からなり、一面がわにプラスチックフィルム防湿層、他面がわにアルミニウムシート滅菌層を夫々形成したものとしなければならず、工場生産の段階にスペーサー座金板の多数を必要箇所に夫々張着したもの、または、さらに張着されたスペーサー座金板の必要箇所夫々に、定着用ビス捩じ込み用の下孔を穿孔したものなどとすることが可能である。
【００２８】
プラスチックフィルム防湿層は、肉厚基礎下地壁体用の基礎断熱単板、および／または、薄肉複層下地壁体用の複層用断熱単板の室外がわ配置となる一面がわに、吸湿性および放湿性を与え、発泡プラスチック体に防湿機能を付与し、結露の発生を阻止可能する機能を果たし、発泡プラスチック体の一面に直接か、あるいは粘着剤付き樹脂フィルムを介してかの何れかによって貼着されたフェルト、織物、不織布、天然スポンジ、合成スポンジ、またはその他の吸湿性素材の何れかからなるものとしなければならず、アルミニウム製の粉末や繊維などを混在させて滅菌機能を与えたものとすることが可能である。
【００２９】
アルミニウムシート滅菌層は、肉厚基礎下地壁体用の基礎断熱単板および／または薄肉複層下地壁体用の複層用断熱単板の室内がわ配置となる他面がわに滅菌作用を与えるという機能を果たし、アルミニウム合金または純アルミニウム製のシートを貼着したものとしなければならず、発泡プラスチック体の他面に、接着剤を用いて直接アルミニウム製シートを貼着、一体化したものとすることができる外、発泡プラスチック体の他面に粘着剤付き樹脂フィルムを介してアルミニウムシートを貼着したもの、または、発泡プラスチック体の他面に直接、物理蒸着、化学蒸着、ラミネート加工などによってアルミニウム層を一体化、形成したものとすることが可能である。
【００３０】
スペーサー座金板は、肉厚基礎下地壁体とした各基礎断熱単板のアルミニウムシート滅菌層表面と、薄肉複層下地壁体の複層用断熱単板の室外がわとなる面との間に装着され、肉厚基礎下地壁体と薄肉複層下地壁体との間に形成される薄断熱空間層の薄さ（厚み）寸法を一定に規制、確保可能とすると共に、定着用ビスの捩じ込みを可能とし、座金となって基礎断熱単板を保持、可能として各基礎断熱単板の浴室構造躯体に直接か、それらに下地構造材を介してかの何れかによる固定、装着を可能とする機能を果たし、１ないし３ｍｍ厚のアルミニウム合金製、または純アルミニウム製のものとしなければならず、縦横の何れかの方向に長い所定幅寸法の、帯状体とすべきであるが、予め縦横格子状に一体化されたものとすることが可能であり、工場生産の段階に基礎断熱単板の室内がわとなる面か、複層用断熱単板の室外がわとなる面かの何れか一方の必要箇所夫々に貼着、一体化されたものとすることができる外、張着面に両面粘着フィルムの一面を張着し、同フィルムの他面に剥離紙が張着されたものとし、施工現場において基礎断熱単板の室内がわとなる面か、複層用断熱単板の室外がわとなる面かの何れか一方の必要箇所夫々に、剥離紙を剥がした粘着フィルム面を貼着、一体化可能なものとすることができ、何れの場合にも、予め各定着用ビス貫通用の下孔を夫々板厚方向に穿孔してなるものにすることが可能である。
【００３１】
薄断熱空間層は、肉厚基礎下地壁体と薄肉複層下地壁体との間に薄さ１ないし３ｍｍの空間を形成し、肉厚基礎下地壁体、薄肉複層下地壁体相互間の断熱性能を向上し、浴室内の熱損失と室内外の湿気の通過とを悉く阻止して浴室の保温性ならびに保湿性を確保すると共に、肉厚基礎下地壁体と薄肉複層下地壁体との間隙を最小限度とし、浴室壁面の全肉厚寸法の大型化を、抑制可能とする機能を果たし、スペーサー座金板や目地部材であるジョイナー（商品名）などの各部連結構造部分による連続部分を除き、肉厚基礎下地壁体と薄肉複層下地壁体との間に１ないし３ｍｍ程度の空間を、室内外から隔離して密閉状に形成されたものとしなければならず、１ｍｍよりも肉厚基礎下地壁体と薄肉複層下地壁体とが接近し過ぎると、十分な保温性が得られなくなる虞があり、また、３ｍｍより遠すぎると、断熱空間内に対流現象は発生し易くなり、熱損失を増大してしまう上、壁面肉厚が大きくなり、浴室内面積を狭めるという欠点を生じてしまう。
【００３２】
薄肉複層下地壁体は、岩盤浴施設用浴室内下地の最も室内がわとなる壁面部分を密閉状に形成し、浴室外がわへの放熱を確実に阻止する断熱機能と、室外がわからの湿気の進入を確実に阻止可能とする機能とを果たすものであり、薄肉板状の発泡プラスチック体からなる多数枚の複層用断熱単板を、浴室構造躯体に直接か、それらに下地構造材を介して固着される肉厚基礎下地壁体と共に貼着、固定され、少なくとも室内がわに向けられた面にアルミニウムシート滅菌層が形成されたものとしなければならず、施工作業性および経済性を高めるには、浴室側壁に留まらず、浴室天井壁にも同一素材を用いたものとするのが望ましく、薄断熱空間層を挟み肉厚基礎下地壁体室内がわ面に平行状に対峙され、室外がわに向けられる面にプラスチックフィルム防湿層を形成したものとすることができる。
【００３３】
複層用断熱単板は、複数枚を組み合わせて薄肉複層下地壁体を形成すると共に、肉厚基礎下地壁体を形成する基礎断熱単板の複数枚との間に薄断熱空間層を密閉、形成可能とする機能を果たし、基礎断熱単板よりも薄いウレタン、ポリスチレン、ポリエチレン、合成ゴムまたは特殊ゴム、その他の薄肉板状の硬質な発泡プラスチック体からなり、浴室内がわとなる面にアルミニウムシート滅菌層を夫々形成したものとしなければならず、肉厚基礎下地壁体と平行状に対峙する面にプラスチックフィルム防湿層か、またはアルミニウムシート滅菌層かの何れかを形成したものとするのが望ましい。
【００３４】
ビス用貫通孔は、複層用断熱単板のスペーサー座金板点在箇所に合致するよう、定着用ビスが捩じ込まれる各所に、定着用ビスの頭部を含む全体を、壁面肉厚方向に貫通状に装着可能とするよう通過可能とする機能を果たし、定着用ビス頭部の直径を僅かに上回る程度の口径に設定された、壁面または天井面に対して直角な柱状の貫通孔とすべきであり、複層用断熱単板の工場における生産の段階に形成されたものとすることが可能である外、施工現場において必要箇所にだけドリルや錐、焼き鏝などの工具類を用いて穿孔、形成したものとすることができる。
【００３５】
定着用ビスは、各基礎断熱単板とそれに装着状とされたスペーサー座金板とを、それらの室外がわに配置された浴室構造躯体に直接か、それらに下地構造材を介してかの何れかの結合によって一体化し、肉厚基礎下地壁体を形成する機能を果たし、複層用断熱単板のビス用貫通孔を通じて装着可能な頭部寸法に設定され、しかも基礎断熱単板に装着されたスペーサー座金板と同基礎断熱単板とを貫通し、直接か、下地構造材を介してかの何れかによって浴室構造躯体に達するよう捩込み可能な長さに設定されたものとしなければならず、滅菌性の確保を考慮すると、アルミニウム製のボルト、ビスまたはタッピングネジなどとするのが望ましいが、下孔を形成していないスペーサー座金板にも貫通容易であって、しかも防錆や強度にも秀れたステンレス製のタッピングネジとすることができる。
【００３６】
断熱性充填剤は、各複層用断熱単板の定着用ビスを捩じ込んでその頭を埋没状にして形成されるビス用貫通孔入り口凹部を面一面状に仕上げると共に、ビス用貫通孔周辺の複層用断熱単板と略同等の断熱性を確保可能とする外、複層用断熱単板の浴室内隅・角で所定平面角度に交叉する木口と、目地部材のアルミニウム製のジョイナー（商品名）入り隅ベースおよびカバーか、または、同出隅ベースおよびカバーかの何れかとの間に形成される隙間空間中に充填されて接続部品間の隙間を埋めて密閉状とする機能を果たすものであり、密閉性と防湿性とを確保できる軟質、または充填後に硬化する建築用シーリング剤やコーキング剤とすべきであり、発泡プラスチックなどのように、充填後に膨張して密閉性を高める性質を有するものとするのが望ましく、防黴、滅菌性能を有するものを選択するのが良く、アルミニウムの粉末材または粒状材を、均質に混合したものとすることができる。
【００３７】
補強枠は、薄肉複層下地壁体の室内壁面を補強、支持して薄肉複層下地壁体の室内壁面の平面形状を保持、可能とすると共に、浴室内壁面の防黴、滅菌機能をそのアルミニウム素材によって高める機能を果たし、複数のアルミニウム細巾板を縦横、交叉状に装着し、薄肉複層下地壁体室内壁面の全面範囲に亘って略均等に点在状配置されたものとしなければならず、肉厚基礎下地壁体と薄肉複層下地壁体との間に装着されたスペーサー座金板と、薄肉複層下地壁体の室内がわとなる壁面に装着されたアルミニウム細巾板とが、各定着用ビスの捩じ込み箇所で交叉するよう配され、断熱性充填剤により面一面に仕上げられた各ビス用貫通孔を隠蔽、補強するものとすることができ、アルミニウム箔製の滅菌シートを弛みなく貼着するための支持部としての機能を果たせるよう、各アルミニウム細巾板が上下に所定間隔を隔てて縦横格子状に配するよう貼着されたものとするのが望ましい。
【００３８】
滅菌シートは、薄肉複層下地壁体室内がわ表面全体を、その室内がわ面に貼着された補強枠や、目地部材であるジョイナー（商品名）などによって生じる凹凸や、その段差隅部分などに黴や細菌が繁殖しないよう連続面状に密閉被覆してしまい、そのアルミニウム箔製の素材によって防湿、滅菌機能を強化、可能とする機能を果たし、室内側に面する薄肉複層下地壁体、補強枠およびジョイナー（商品名）などの全体を密閉状に被覆するよう装着されたものとしなければならず、貼着面の全体に粘着剤が塗布され、剥離紙を装着してなるアルミニウム箔製のものや、両面に粘着剤を塗布し、一面をアルミニウム箔の室外がわとなる面に貼着し、他面に剥離紙を貼着してなるシートを、施工現場において剥離紙を剥がし取り、壁紙のように薄肉複層下地壁体室内がわ表面に貼着したものとすることができる。
【００３９】
浴室構造躯体は、岩盤浴施設の屋根や壁面を含む建築物それ自体を支えると共に、浴室内下地壁面部分を、その屋外がわから支持可能とする機能を果たすものであり、より具体的には、木造、鉄骨、鉄筋コンクリート製などの構造躯体であるということができ、壁面下地、天井下地などの様々な下地構造材を有するものであるとすることが可能である。
【００４０】
Ｌ字型の密閉用枠板は、肉厚基礎下地壁体の浴室壁外角で二枚の基礎断熱単板の何れか一方の木口と、他方基礎断熱単板の木口直近の室内側面とが密接状に張設された箇所の外側壁間を密閉状に被覆、補強する機能を果たすものであり、アルミニウム製平断面形Ｌ字型に形成され、浴室壁外角の二枚の基礎断熱単板の張設木口がわ同士を、その上下端間に亘って気密状に隠蔽するよう密閉状に接着、補強する如く縦設されたものとしなければならず、肉厚基礎下地壁体に対して接着、保持されたものとすることができる外、浴室構造躯体の一部をなして岩盤浴施設、建築物の骨格の一部を兼ねるものとすることも可能である。
【００４１】
目地部材とするジョイナー（商品名）は、肉厚基礎下地壁体の直線状に配列、貼着される各基礎断熱単板同士の接続部分や、薄肉複層下地壁体の各複層用断熱単板同士の貼着、接続部分を密閉、連続状に一体化可能とし、その接続部分を防黴、滅菌可能とする機能を果たすものであり、より具体的には、各基礎断熱単板や複層用断熱単板の接続形状に応じて、「アルミ断熱ジョイナー」、「アルミジョイナー」（何れも商品名：株式会社創建製）などの中から適宜選択、使用することとなるが、同等の機能を発揮可能なアルミニウム製の部品を利用することも不可能ではない。
以下では、図面に示すこの発明を代表する実施例と共に、その構造について詳述することとする。                                                                                                                  
【実施例１】
【００４２】
図１の岩盤浴施設浴室壁面要部を断面化した平面図、図２の基礎断熱単板の正面図、図３の複層用断熱単板の正面図、図４の基礎断熱単板と複層用断熱単板との組み合わせ状態の正面図、図５の滅菌シートを貼着した複層用断熱単板の正面図、図６のアルミ断熱ジョイナー（商品名）入り隅ベースおよび同カバーの平面図、図７のアルミ断熱ジョイナー（商品名）Ｈ型カンゴウ式のベースおよびカバーの平面図、図８のアルミ断熱ジョイナー（商品名）出隅ベースおよび同カバーの平面図、および、図９のアルミ断熱ジョイナー（商品名）Ｈ型の平面図に示した事例について、この発明の岩盤浴施設用室内下地構造を具体的に説明することとする。
【００４３】
この実施例は、肉厚板状の発泡プラスチック体の一面がわにプラスチックフィルム防湿層１２、他面がわにアルミニウムシート滅菌層１３を夫々形成してなる基礎断熱単板１１，１１，……の多数が、何れもそのアルミニウムシート滅菌層１３がわを室内がわに向ける配置で、浴室構造躯体８に直接か、それらに下地構造材を介して相互に気密状となるよう隙間なく張設、固定されてなる肉厚基礎下地壁体１を形成し、該肉厚基礎下地壁体１とした各基礎断熱単板１１，１１，……のアルミニウムシート滅菌層１３，１３，……表面には、１ないし３ｍｍ厚のアルミニウム製のスペーサー座金板２，２，……を点在状に貼着、介在させた上、それら点在状としたスペーサー座金板２，２，……の室内がわ面に、薄肉板状の発泡プラスチック体一面がわにアルミニウムシート滅菌層３３を形成した複層用断熱単板３１，３１，……の多数が、何れもそのアルミニウムシート滅菌層３３，３３，……がわを室内がわに向ける配置で、且つ相互に気密状となるよう隙間なく張設された上、それら全ての複層用断熱単板３１，３１，……を、予め各々の支持部となるスペーサー座金板２，２，……点在箇所に合致するよう穿設しておいたビス用貫通孔３５，３５，……から、対応するスペーサー座金板２，２，……とその背面の基礎断熱単板１１，１１，……とに向けて定着用ビス４，４，……を捩じ込んでその頭を埋没状にして固定してしまい、肉厚基礎下地壁体１の室内がわ面に薄断熱空間層Ｓの介在する薄肉複層下地壁体３を形成する一方、定着用ビス頭４，４，……を埋没状にして形成されるビス用貫通孔入り口凹部３５，３５，……に発泡プラスチックなど断熱性充填剤５が充填、封鎖状にされて当該定着用ビス４，４，……を室内がわから断熱状となる面一面とした上、それら薄肉複層下地壁体３室内がわ表面に格子状となるようにアルミニウム細巾板６１，６１，……を接着、固定して補強枠６となし、それら補強枠６を支持部としてアルミニウム箔製の滅菌シート７を弛みなく貼着して薄肉複層下地壁体３室内がわ表面全体が滅菌シート７で被覆されてなる、この発明を代表するものである。
【００４４】
当該基礎断熱単板１１は、図２中に示すように、発泡プラスチック体である硬質ウレタンフォームの一面がわに、ポリエチレンコート紙からなるプラスチックフィルム防湿層１２が、また、他面がわにアルミ箔ラミネート紙からなるアルミニウムシート滅菌層１３が夫々貼着、一体化されて厚さ５０ｍｍ、幅９９８ｍｍ、高さ３，０００ｍｍの肉厚板状に形成され、その木口の全てにアルミニウム箔製の滅菌用粘着テープ１４を貼着し、図１中に示すように、岩盤浴施設のリップ溝形鋼（リップドチャンネル、Ｃ形鋼）製の柱など、浴室構造躯体８，８，……の室内がわ側面に対し、アルミニウムシート滅菌層１３のがわを浴室内がわに向け、プラスチックフィルム防湿層１２がわを浴室外がわに向ける配置で装着され、複数枚が連続状に配置されて岩盤浴施設用室内下地構造の室外がわ壁面を形成する如く張設され、各基礎断熱単板１１，１１，……の互いに隣接し、突き合わせ状となる木口間（図示せず）には、図７に示す目地部材のアルミ断熱ジョイナー（商品名）Ｈ型カンゴウ式９のベース９１およびカバー９２か、または、図９に示す、アルミ断熱ジョイナー（商品名）Ｈ型９かの何れか一方を用いて相互に気密状となるよう隙間なく張設されたものとし、また、図１中に示すように、浴室壁外角で二枚の基礎断熱単板１１，１１の何れか一方の木口と、他方基礎断熱単板１１の木口、直近の室内側面とが密接状に張設され、それら二枚の基礎断熱単板１１，１１の張設木口がわとなる外側壁間に跨り、アルミニウム製平断面形Ｌ字型の密閉用枠板８１を縦設、密閉状に接着されてなるものとして肉厚基礎下地壁体１が形成されている。
【００４５】
該肉厚基礎下地壁体１とした各基礎断熱単板１１，１１，……のアルミニウムシート滅菌層１３表面には、厚さ２ｍｍ、幅３０ｍｍ、長さ２，９１３ｍｍのアルミニウム製、スペーサー座金板２，２，……を、ジョイナー（商品名）９が装着される左右端縁を除いた、水平方向間隔４２９ｍｍ毎の三箇所に点在状に縦設すると共に、各スペーサー座金板２，２，……の上端間、および、下端間を連結する、厚さ２ｍｍ、幅３０ｍｍ、長さ８８８ｍｍのスペーサー端部用座金板２１，２１を、枠状に組み合せ、横設するようアクリル系強力粘着テープ、または変成シリコーン樹脂系接着剤によって貼着し、それら点在状に組み合わせ配置させたスペーサー座金板２，２，……と、スペーサー端部用座金板２１，２１との室内がわ面に、図３に示すように、発泡プラスチック体である硬質ウレタンフォームの一面がわに、ポリエチレンコート紙からなるプラスチックフィルム防湿層３２を、また、他面がわにアルミ箔ラミネート紙からなるアルミニウムシート滅菌層３３を夫々貼着一体化し、厚さ２５ｍｍ、幅９９８ｍｍ、高さ３，０００ｍｍの薄肉板状に形成され、前記基礎断熱単板１１と同様に、その木口の全てにアルミニウム箔製の滅菌用粘着テープ１４を貼着した複層用断熱単板３１，３１，……の多数枚が、図１に示すように、何れもそのアルミニウムシート滅菌層３３がわを室内がわに向けるよう配置され、相互に気密状となるよう隙間なく張設し、隣接して突き合わせ状となる木口同士（図示せず）は、図７に示すような、アルミ断熱ジョイナー（商品名）Ｈ型カンゴウ式９のベース９１およびカバー９２か、または、図９に示すような、アルミ断熱ジョイナー（商品名）Ｈ型９かの何れか一方を用いて相互に気密状となるよう隙間なく張設されている。
【００４６】
また、図１中に示す、浴室内隅で平面角度９０度に交叉する複層用断熱単板３１，３１の木口同士は、互いの木口同士が交叉状配置となる室内側面角部に一致するよう寸法設定され、各複層用断熱単板３１，３１の交叉状配置となる木口の室外がわに対応する基礎断熱単板１１，１１の室内がわ入り隅壁面には、厚さ１ｍｍ、長さ３，０００ｍｍの平断面Ｌ字型に形成された、アルミニウム製ブラケット３４が、アクリル系強力粘着テープまたは変成シリコーン樹脂系接着剤によって強固に、貼着され、該ブラケット３４に対し、図６に示す、アルミニウム製のジョイナー（商品名）９入り隅ベース９１を、アルミニウム製リベットＲ，Ｒ，……によって結合、一体化し、該入り隅ベース９１との間に複層用断熱単板３１，３１の交叉状配置となる各木口部分を挟み込むよう、同６図中に実線矢印のようにカバー９２を嵌合、装着すると共に、該入り隅ベース９１と、その室外がわに対応する基礎断熱単板１１，１１木口付近室内がわ面に張着されたブラケット３４との間に形成された平断面三角形状の隙間部分、および、該入り隅ベース９１、カバー９２、ならびにその間に挟着された複層用断熱単板３１，３１の各木口端面との間に形成された小三角形状、隙間部分の二箇所、夫々に発泡ウレタン製の断熱性充填剤５を充填し、密閉状に閉鎖し、当該肉厚基礎下地壁体１との間に約２ｍｍの薄さに設定された薄断熱空間層Ｓを形作る薄肉複層下地壁体３を形成したものとなっている。
【００４７】
さらにまた、当該薄肉複層下地壁体３の浴室内がわに９０度の角度で突出する角（図示せず）部を有する場合には、交叉する複層用断熱単板３１，３１の木口同士が、図８に示すジョイナー（商品名）９の出隅ベース９１およびカバー９２を用いて密閉状に一体化したものとする。
【００４８】
当該薄肉複層下地壁体３の各複層用断熱単板３１，３１，……には、図３中に示すように、基礎断熱単板１１，１１，……の各スペーサー座金板２，２，……上端がわから下端がわに４２０ｍｍ間隔毎に配置した上下３０ｍｍ幅（後述するアルミニウム細巾板６１の貼着箇所）の各点在箇所に合致する複数箇所夫々の中央に、ビス用貫通孔３５，３５，……が予め穿設されており、図１中に示すように、これらのビス用貫通孔３５，３５，……を通じ、ステンレス製定着用ビス４，４，……の夫々を、スペーサー座金板２、基礎断熱単板１１を貫通させ、それら先端が対応する浴室構造躯体８のリップ溝形鋼に達するようドリルで下孔を穿孔して捩じ込み、各スペーサー座金板２，２，……室内がわ面を固定する定着用ビス４，４，……の頭が埋没状にして形成されたビス用貫通孔入り口凹部３５，３５，……に、発泡ウレタン製の断熱性充填剤５を充填し、複層用断熱単板３１，３１，……の室内がわに面一面状に密閉状、封鎖してある。
【００４９】
当該薄肉複層下地壁体３の室内がわ表面には、図１ないし図３中に示す、各定着用ビス４，４，……の埋設箇所を隠蔽し、図４中に示すよう各スペーサー座金板２，２，……に対して格子状の配置とする如く、厚さ３ｍｍ、上下幅３０ｍｍ、左右長８８８ｍｍのアルミニウム細巾板６１，６１，……を水平姿勢に、厚さ３ｍｍ、幅３０ｍｍ、長さ２，９１３ｍｍのアルミニウム細巾板６２，６２，６２を垂直姿勢に、夫々アクリル系強力粘着テープまたは変成シリコーン樹脂系接着剤によって貼着し、格子状に固定して補強枠６，６，……となし、それら補強枠補強枠６，６，……を支持部としてアルミニウム箔製アクリル系強力粘着テープからなる滅菌シート７を、図５に示すよう弛みなく貼着して該薄肉複層下地壁体３室内がわ表面全体が滅菌シート７で被覆されている。                                                                    
【実施例２】
【００５０】
図１０の天井下地隅部を断面化した正面図、図１１の天井下地部分のジョイナー（商品名）による貼着状態を断面化した正面図、および、図１２の薄断熱空間層を形成する天井下地を断面化した正面図に示す事例は、肉厚板状の発泡プラスチック体の一面がわにプラスチックフィルム防湿層１２、他面がわにアルミニウムシート滅菌層１３を夫々形成してなる基礎断熱単板１１，１１，……の多数が、何れもそのアルミニウムシート滅菌層１３，１３，……がわを室内がわに向ける配置で、浴室構造躯体８，８，……に直接か、それらに下地構造材８２を介して相互に気密状となるよう隙間なく張設、固定されてなる肉厚基礎下地天井壁体１を形成し、該肉厚基礎下地天井壁体１とした各基礎断熱単板１１，１１，……のアルミニウムシート滅菌層１３，１３，……表面には、１ないし３ｍｍ厚のアルミニウム製のスペーサー座金板２，２，……を点在状に貼着、介在させた上、それら点在状としたスペーサー座金板２，２，……の室内がわ面に、薄肉板状の発泡プラスチック体一面がわにアルミニウムシート滅菌層３３を形成した複層用断熱単板３１，３１，……の多数が、何れもそのアルミニウムシート滅菌層３３，３３，……がわを室内がわに向ける配置で、且つ相互に気密状となるよう隙間なく張設された上、それら全ての複層用断熱単板３１，３１，……を、予め各々の支持部となるスペーサー座金板２，２，……点在箇所に合致するよう穿設しておいたビス用貫通孔３５，３５，……から、対応するスペーサー座金板２とその背面の基礎断熱単板１１とに向けて定着用ビス４を捩じ込んでその頭を埋没状にして固定してしまい、肉厚基礎下地天井壁体１の室内がわ面に薄断熱空間層Ｓの介在する薄肉複層下地天井壁体３を形成する一方、定着用ビス４頭を埋没状にして形成されるビス用貫通孔入り口凹部３５，３５，……に発泡プラスチックなど断熱性充填剤５が充填、封鎖状にされて当該定着用ビス４，４，……を室内がわから断熱状となる面一面とした上、それら薄肉複層下地天井壁体３室内がわ表面に格子状となるようにアルミニウム細巾板６１，６１，……を接着、固定して補強枠６となし、それら補強枠６を支持部としてアルミニウム箔製の滅菌シート７を弛みなく貼着して薄肉複層下地天井壁体３室内がわ表面全体が滅菌シート７で被覆されてなる、この発明の岩盤浴施設用室内下地構造における代表的な一実施例を示すものである。
【００５１】
肉厚基礎下地天井壁体１は、図１０に示す軽量鉄骨天井下地か、または図１１および図１２に示す浴室構造躯体８または木質系素材からなる野縁などの下地構造材８３の室内がわ面に対して、発泡プラスチック体である硬質ウレタンフォームの一面がわに、ポリエチレンコート紙からなるプラスチックフィルム防湿層１２が、また、他面がわにアルミ箔ラミネート紙からなるアルミニウムシート滅菌層１３が夫々貼着、一体化されて厚さ５０ｍｍ、幅９９８ｍｍ、長さ３，０００ｍｍの肉厚板状に形成され、その木口の全てにアルミニウム箔製の滅菌用粘着テープ１４を、貼着した基礎断熱単板１１，１１，……の多数が、図９に示すアルミ断熱ジョイナー（商品名）Ｈ型９によって、図１１に示すようアルミニウムシート滅菌層１３のがわを浴室内がわ（図示面下がわ）に向け、プラスチックフィルム防湿層１２がわを浴室外がわ（図示面上がわ）に向ける配置となり、隣接する木口同士を気密状に隙間なく張設してある。
【００５２】
また、図１０に示すように、浴室壁外角で天井面を形成する肉厚基礎下地天井壁体１基礎断熱単板１１の木口直近の室内がわ（下がわ）側面が、肉厚基礎下地壁体１基礎断熱単板１１の上向き木口上に密接状に張設され、室内外がわ間の気密状態を確保するよう形成されたものとし、これら基礎断熱単板１１，１１の木口および木口直近、側面の貼着部分に対応する室外がわには、肉厚基礎下地壁体１基礎断熱単板１１と、リップ溝形鋼（リップドチャンネル、Ｃ形鋼）製の浴室構造躯体８との間に介在され、同肉厚基礎下地壁体１基礎断熱単板１１に対し、リベットＲ，Ｒ，……結合された厚さ２ｍｍのアルミニウム板製、下地構造材８２が貼着されている。
【００５３】
当該肉厚基礎下地天井壁体１基礎断熱単板１１，１１，……のアルミニウムシート滅菌層１３，１３，……表面には、厚さ２ｍｍ、幅３０ｍｍ、長さ２，９１３ｍｍのアルミニウム製、スペーサー座金板２，２，……を、各浴室構造躯体８または軽量鉄骨天井下地や野縁などの下地構造材８３に対応する箇所毎に点在状となるよう、アクリル系強力粘着テープまたは変成シリコーン樹脂系接着剤によって貼着され、それら点在状に配置させたスペーサー座金板２，２，……の室内がわ（図示面下がわ）となる面に、発泡プラスチック体である硬質ウレタンフォームの一面がわに、ポリエチレンコート紙からなるプラスチックフィルム防湿層３２を、また、他面がわにアルミ箔ラミネート紙からなるアルミニウムシート滅菌層３３を夫々貼着一体化し、厚さ２５ｍｍ、幅９９８ｍｍ、長さ３，０００ｍｍの薄肉板状に形成され、前記基礎断熱単板１１と同様に、その木口の全てにアルミニウム箔製の滅菌用粘着テープ１４を貼着した複層用断熱単板３１，３１，……の多数枚が、図１０に示すように、何れもそのアルミニウムシート滅菌層３３，３３，……がわを室内がわ（図示面下がわ）に向けるよう配置して相互に気密状となるよう隙間なく張設したものとし、隣接して突き合わせ状となる木口同士（図示せず）は、図７および図１１に示すように、アルミ断熱ジョイナー（商品名）Ｈ型カンゴウ式９のベース９１を、図１１のように、直上に対応するアルミ断熱ジョイナー（商品名）Ｈ型９（図９に示す）の下部に、アルミニウム製リベットＲ，Ｒ，……によって結合、吊着して複層用断熱単板３１，３１，……の木口部分を挟み込むようにしてカバー９２を嵌着させ、相互に気密状となるよう隙間なく張設したものとしている。
【００５４】
また、図１０に示すように、薄肉複層下地天井壁体３は、それら複層用断熱単板３１，３１，……の木口、直近の室内がわ（下がわ）側面の夫々が、薄肉複層下地壁体３、複層用断熱単板３１，３１，……の上向き木口上に密閉状に張設したものとし、さらに、それら全ての複層用断熱単板３１，３１，……は、各スペーサー座金板２，２，……の長さ方向に４２０ｍｍ間隔毎に配置された３０ｍｍ幅（後述するアルミニウム細巾板６１の貼着箇所）の各点在箇所に合致する複数箇所夫々の中央に、ビス用貫通孔３５，３５，……が予め穿設されており、これらのビス用貫通孔３５，３５，……を通じてステンレス製定着用ビス４，４，……の夫々を、スペーサー座金板２、基礎断熱単板１１を貫通させ、それら先端が対応する軽量鉄骨天井下地や木質系素材からなる野縁などの浴室構造躯体８３に達するよう、ドリルで下孔を穿孔して捩じ込み、各スペーサー座金板２，２，……室内がわ面を固定する定着用ビス４，４，……の頭が埋没状にして形成されたビス用貫通孔入り口凹部３５，３５，……に発泡ウレタン製の断熱性充填剤５を充填し、複層用断熱単板３１，３１，……の室内がわに面一面状に密閉状、封鎖されている。
【００５５】
当該薄肉複層下地天井壁体３の室内がわ表面には、図１０ないし図１２中に示す各定着用ビス４，４，……の埋設箇所を隠蔽し、図１０中に示すように、各スペーサー座金板２，２，……に対して格子状の配置とする如く、厚さ３ｍｍ、幅３０ｍｍ、長さ８８８ｍｍのアルミニウム細巾板６１，６１，……を、アクリル系強力粘着テープまたは変成シリコーン樹脂系接着剤によって貼着、固定して補強枠６，６，……となし、それら補強枠６，６，……を支持部としてアルミニウム箔製アクリル系強力粘着テープからなる滅菌シート７を弛みなく貼着し、当該薄肉複層下地天井壁体３の室内がわ表面全体が滅菌シート７で被覆されたものとしてある。
【００５６】
（実施例１の作用）
以上のとおりの構成からなるこの発明の岩盤浴施設用室内下地構造は、図１ないし図９中に示したように、肉厚基礎下地壁体１を、リップ溝形鋼（リップドチャンネル、Ｃ形鋼）製柱などの浴室構造躯体８に定着用ビス４，４，……を用いて張着、固定するために設けたスペーサー座金板２，２，……、およびスペーサー端部用座金板２１，２１が、室外がわに配された硬質ウレタンフォーム製の該肉厚基礎下地壁体１と、室内がわに配された同じく硬質ウレタンフォーム製の薄肉複層下地壁体３との間の略全面に亘り、薄さ２ｍｍに設定された薄断熱空間層Ｓを均質に形成可能とし、しかも、それら肉厚基礎下地壁体１および薄肉複層下地壁体３の夫々の室内がわとなる面にアルミニウムシート滅菌層１３，３３を形成し、各基礎断熱単板１１，１１，……や複層用断熱単板３１，３１，……を所定箇所に装着、固定するスペーサー座金板２，２，……、スペーサー端部用座金板２１，２１、リベットＲ，Ｒ，……、アルミニウム細巾板６１，６１，……、６２，６２，……、および目地部材であるジョイナー（商品名）９，９，……などの各種部品類の全てをアルミニウム製としたことから、室内下地構造の全体に滅菌作用を付与したものとなり、さらに、各基礎断熱単板１１，１１，……および複層用断熱単板３１，３１，……の室外がわ壁面に、プラスチックフィルム防湿層１２，３２を形成して黴や細菌を増殖させる原因となる湿気の滲入を防止し、より清潔な室内環境の実現化に項を奏するものとなっている。
【００５７】
また、複数枚のスペーサー座金板２，２，……，２１，２１，……によって肉厚基礎下地壁体１の室内がわの全面を略均等、且つ平面状に張着、固定することが可能となり、さらに、その室内がわに配置された薄肉複層下地壁体３を、室内がわから複数のアルミニウム細巾板６１，６１，……，６２，６２，……からなる補強枠６が、その全面を略均等且つ平面状に張着、固定し、各硬質ウレタンフォーム材による室内壁面の倒れや偏りなどの変形を防止して、当該肉厚基礎下地壁体１と薄肉複層下地壁体３との間に、薄さ２ｍｍの薄断熱空間層Ｓを正確に形成すると共に、確りとした歪みのない室内壁面を維持可能とすると共に、当該薄肉複層下地壁体３の室内面に張着したアルミニウム細巾板６１，６１，……，６２，６２，……からなる補強枠６は、アルミニウム箔製アクリル系強力粘着テープからなる滅菌シート７を弛みなく貼着、支持するものとなり、経時的に発生する皺や剥がれの発生を防止して当該薄肉複層下地壁体３の室内面全体に張着された滅菌シート７が、浴室内壁面を長期に亘って清浄に維持、可能なものにしている。
【００５８】
（実施例２の作用）
この発明の岩盤浴施設用室内下地構造は、図１０ないし図１２中に示したように、肉厚基礎下地天井壁体１を形成する複数枚の基礎断熱単板１１，１１，……を、複数枚のスペーサー座金板２，２，……と、それらスペーサー座金板２，２，……および各基礎断熱単板１１，１１，……を貫通し、浴室構造躯体８または軽量鉄骨天井下地か、または木質系素材からなる野縁などの下地構造材８３に捩じ込まれた複数本の定着用ビス４，４，……とにより、各基礎断熱単板１１，１１，……の略全面に亘って平板形状を維持するよう均等に吊り下げ、張着すると共に、各基礎断熱単板１１，１１，……の隣り合う木口同士間、夫々にアルミ断熱ジョイナー（商品名）Ｈ型９，９，……を組み込み、気密状となるよう隙間なく張設した上、各スペーサー座金板２，２，……を介在させるようにして肉厚基礎下地天井壁体１の下層に配置させた複数枚の複層用断熱単板３１，３１，……を、その室内がわ面に張着した複数枚のアルミニウム細巾板６１，６１，……によって平板形状を維持するものとし、さらに、各複層用断熱単板３１，３１，……の隣接する木口間に、当該基礎断熱単板１１，１１，……木口同士を張着したアルミ断熱ジョイナー（商品名）Ｈ型９，９，……下部の夫々に、アルミニウム製リベットＲ，Ｒ，……を介して吊着、結合したアルミ断熱ジョイナー（商品名）Ｈ型カンゴウ式９のベース９１，９１，……を嵌着し、それらベース９１，９１，……に、同アルミ断熱ジョイナー（商品名）Ｈ型カンゴウ式９のカバー９２を嵌着させ、相互に気密状となるよう隙間なく張設し、薄肉複層下地天井壁体３を形成してあり、当該肉厚基礎下地天井壁体１と、該薄肉複層下地天井壁体３との間に形成された薄断熱空間層Ｓの形状を維持可能とし、該薄肉複層下地天井壁体３それ自体の変形や弛みといった経時的変形の発生を抑止、可能とする。
【００５９】
加えて、厚さ５０ｍｍの肉厚基礎下地天井壁体１および肉厚基礎下地壁体１を室外がわに配し、薄断熱空間層Ｓを挟み、厚さ２５ｍｍの薄肉複層下地天井壁体３および薄肉複層下地壁体３を室内がわに配してあり、室内の保温性を高めると共に、外気温や湿度などの悪影響を抑えることが可能となり、冬期における放射冷却や降雨、降雪による室内の冷却、ならびに湿気の浸透などを確実に阻止可能となる。
【００６０】
（実施例１の効果）
以上のような構成からなる実施例１の岩盤浴施設用室内下地構造は、前記この発明の効果の項で記載の特徴に加え、図１ないし図９中に示したように、肉厚基礎下地壁体１を形成する複数の基礎断熱単板１１，１１，……が、室内がわ全面に均等に分散、張着されたスペーサー座金板２，２，……、ペーサー端部用座金板２１，２１と、それらスペーサー座金板２および基礎断熱単板１１を貫通し、リップ溝形鋼（リップドチャンネル、Ｃ形鋼）製の柱などからなる浴室構造躯体８，８に達するよう捩じ込まれた、複数の定着用ビス４，４，……とによって平板形状を維持するよう確りと張設、固定され、さらに、それら基礎断熱単板１１，１１，……の室内がわに、薄断熱空間層Ｓを介在させて薄肉複層下地壁体３を形成する複数の複層用断熱単板３１，３１，……が室内がわ全面に均等に分散され、しかも各スペーサー座金板２，２，……に重なる格子状の配置となって張着された複数のアルミニウム細巾板６１，６１，……，６２，６２，……からなる補強枠６により、その平板形状を確り維持するよう支持されたものとし、薄断熱空間層Ｓの２ｍｍという薄い空間形状を精確に維持することができると共に、肉厚基礎下地壁体１ならびに薄肉複層下地壁体３の平板形状を長期に亘って維持可能とし、各硬質ウレタンフォームの自重による経時的変形や弛みなどの発生を確実に防止して、室内壁面の長寿命化を達成することができ、しかも薄型で暖房機能に秀れた浴室内壁を実現化することができる。
【００６１】
加えて、肉厚基礎下地壁体１および薄肉複層下地壁体３の、各室外がわの面にプラスチックフィルム防湿層１２，３２を形成し、室内がわの面夫々にアルミニウムシート滅菌層１３，３３を形成したものとし、肉厚基礎下地壁体１の室外がわ面の防湿性能を高めると共に、薄断熱空間層Ｓ内の防湿性および滅菌性能を高めることができる上、薄肉複層下地壁体３の室内がわ面の滅菌性能を高めることができ、しかも各基礎断熱単板１１，１１，……や複層用断熱単板３１，３１，……を密閉状に張着するためのスペーサー座金板２，２，……、スペーサー端部用座金板２１，２１、補強枠６のアルミニウム細巾板６１，６１，……，６２，６２，……、リベットＲ，Ｒ，……、および各種アルミ断熱ジョイナー（商品名）９（９１，９２），……など、ステンレス製の定着用ビス４，４，……を除く殆どの部品類をアルミニウム製のものとし、一段と確実に黴や細菌類の繁殖を阻止して衛生的な入浴環境を実現化し得るようにすると効果が得られることになる。
【００６２】
（実施例２の効果）
実施例２の岩盤浴施設用室内下地構造は、図１０ないし図１２中に示したように、前記肉厚基礎下地壁体１と薄肉複層下地壁体３との間に薄断熱空間層Ｓを形成した室内下地構造と同様に、肉厚基礎下地天井壁体１と薄肉複層下地天井壁体３との間に薄さ２ｍｍの薄断熱空間層Ｓを形成して、岩盤浴施設用室内の天井部分の断熱性、防湿性および滅菌性を高めて黴や細菌類の発生の抑止効果を格段に向上させ、より衛生的且つ快適な入浴環境を実現化することができる上、実施例１の室内下地構造と組み合わせることによって格段に秀れた経済性を達成することができるものとなる。
【００６３】
しかも、室内天井部分に設けた肉厚基礎下地天井壁体１と薄肉複層下地天井壁体３とによる天井面構造は、その主要部分が硬質ウレタンフォームからなる軽量な発泡プラスチック体からなり、浴室構造躯体８または軽量鉄骨天井下地や木質系素材からなる野縁などの下地構造材８３に過大な負担を掛けずに設置することが可能であって、さらに、スペーサー座金板２，２，……、アルミニウム細巾板６１，６１，……、アルミ断熱ジョイナー（商品名）Ｈ型９，９，……、および同アルミ断熱ジョイナー（商品名）Ｈ型カンゴウ式９のベース９１，９１，……ならびにカバー９２，９２，……などの金属部品類の殆どをアルミニウム製としてあり、軽量化と滅菌機能の付与とを達成し、結露などによって天井下面に水滴が付着した場合にも黴や細菌類の発生を確実に抑制することができ、天井下面から水滴が床面に落下した場合にも衛生状態を維持することができる上、軽量構造によって耐震性にも秀れるという特段の効果を発揮できるものとなる。
【００６４】
（結  び）
叙述の如く、この発明の岩盤浴施設用室内下地構造は、その新規な構成によって所期の目的を遍く達成可能とするものであり、しかも製造も容易で、従前からの「建築物における外断熱工法」や「多層空気層断熱材」などに比較して大幅に軽量且つ低廉化して断熱性にも秀れ、遥かに経済的なものとすることができる上、プレファブ建築による施工も容易で、壁面を薄型化して室内空間を広く確保することが可能であり、暖房システムに要する燃費を格段に削減し、秀れた経済性を発揮するものとなることから、燃料費の高騰に苦慮する岩盤浴業界にとっては勿論のこと、公衆浴室内の衛生環境に不安を抱いていた利用者にも高く評価されることとなって、広範に渡って利用、普及していくものになると予想される。                                                                
【図面の簡単な説明】
【００６５】
図面は、この発明の岩盤浴施設用室内下地構造の技術的思想を具現化した代表的な幾つかの実施例を示すものである。
【図１】断面化された岩盤浴施設浴室壁面要部を示す平面図である。
【図２】基礎断熱単板を示す正面図である。
【図３】複層用断熱単板を示す正面図である。
【図４】基礎断熱単板と複層用断熱単板との組み合わせ状態を示す正面図である。
【図５】滅菌シートを貼着した複層用断熱単板を示す正面図である。
【図６】入り隅ベースおよび同カバーを示す平面図である。
【図７】Ｈ型カンゴウ式ベースおよびカバーを示す平面図である。
【図８】出隅ベースおよび同カバーを示す平面図である。
【図９】アルミ断熱ジョイナー（商品名）Ｈ型を示す平面図である。
【図１０】断面化された天井下地隅部を示す正面図である。
【図１１】天井下地の貼着状態を断面化して示す正面図である。
【図１２】薄断熱空間層を形成する天井下地を断面化して示す正面図である。
【符号の説明】
【００６６】
１      肉厚基礎下地壁体（肉厚基礎下地天井壁体）
１１    同  基礎断熱単板
１２    同  プラスチックフィルム防湿層
１３    同  アルミニウムシート滅菌層
１４    同  滅菌用粘着テープ
２      スペーサー座金板
２１    同  ペーサー端部用座金板
３      薄肉複層下地壁体（薄肉複層下地天井壁体）
３１    同  複層用断熱単板
３２    同  プラスチックフィルム防湿層
３３    同  アルミニウムシート滅菌層
３４    同  ブラケット
３５    同  ビス用貫通孔（ビス用貫通孔入り口凹部）
４      定着用ビス
５      断熱性充填剤
６      補強枠
６１    同  アルミニウム細巾板（横材）
６２    同  アルミニウム細巾板（縦材）
７      滅菌シート
８      浴室構造躯体
８１    同  密閉用枠板
８２    同  下地構造材
８３    同  下地構造材（野縁）
９      ジョイナー（商品名）
９１    同  ベース
９２    同  カバー
Ｓ      薄断熱空間層
Ｒ      リベット                                                                          
【図１】
2008240244.tif 000003
【図２】
2008240244.tif 000004
【図３】
2008240244.tif 000005
【図４】
2008240244.tif 000006
【図５】
2008240244.tif 000007
【図６】
2008240244.tif 000008
【図７】
2008240244.tif 000009
【図８】
2008240244.tif 000010
【図９】
2008240244.tif 000011
【図１０】
2008240244.tif 000012
【図１１】
2008240244.tif 000013
【図１２】
2008240244.tif 000014